(57)【特許請求の範囲】
【請求項１】
遊技島の端部に設置される端面部材の角部に取り付けられ、所定のタイミングで点灯される電気装飾具であって、
端面部材の角部の寸法に対応する寸法に形成された長手のベースプレートと、
前記ベースプレートの長手方向に沿って配置され、多数個のＬＥＤが配列されたＬＥＤ実装基板と、
前記ＬＥＤの光照射方向を覆うように設けられた第１の半透明光透過板と、
前記第１の半透明光透過板と断面視において直角三角形状の空間をあけて設けられ、前記第１の半透明光透過板の外側を覆っている第２の半透明光透過板と、
を含み、
前記第１の半透明光透過板は、乳白半透明アクリル板を含み、
前記第２の半透明光透過板は、乳白半透明アクリル板を含み、
前記ベースプレートは、前記第１の半透明光透過板の相対向する両辺を保持し、かつ、前記第２の半透明光透過板の相対向する両辺を保持するとともに、前記端面部材の角部への取り付け部材を兼ねており、
前記ベースプレートは、金属板により構成され、前記ＬＥＤ実装基板を保持するための基板保持面と、基板保持面から延び出た面板の両先端部に設けられた外側レールおよび内側レールを備え、
前記第１の半透明光透過板は前記内側レールによって前記相対向する両辺がスライド可能に保持されており、
前記第２の半透明光透過板は前記外側レールと内側レールとの間によって前記相対向する両辺がスライド可能に保持されていることを特徴とする遊技島用電気装飾具。
【請求項２】
請求項１に記載の電気装飾具が角部に設けられていることを特徴とする遊技島の端部に設置される島飾りまたは妻板。
【発明の詳細な説明】
【技術分野】
【０００１】
この発明は、遊技島の端部に設置される島飾りや妻板と称される端面部材の角部に取り付けられ、所定のタイミングで点灯することによって電気的な装飾を行うための電気装飾具に関する。
【背景技術】
【０００２】
遊技場においては、複数の遊技機（パチンコ機やパチスロ機など）が配列され、複数の遊技機を含む遊技島（遊技機設置島とも呼ばれる）が構成されている。そして、遊技島の一端には、たとえば島飾りと称される端面部材が配置される。また、遊技島の他端には、妻板と称される端面部材が配置される。
島飾りや妻板は、一般に、正面視が縦長矩形をしており、その正面側、側面側等に装飾用のランプが配列されたり、ランプの光を導く導光板としてのアクリル板が突設されたりしている。
【特許文献１】特開平１１−１６４９５６号公報
【発明の開示】
【発明が解決しようとする課題】
【０００３】
従来の遊技島の端部に設置される島飾りや妻板に備えられた電気装飾具は、島飾りや妻板の角部を電気的に良好に装飾する器具としてはもの足りず、島飾りや妻板の角部を、たとえば柔かい光で良好に装飾する装飾具が望まれていた。
この発明は、このような背景のもとになされたもので、装飾効果の高い遊技島用電気装飾具を提供することを主たる目的とする。
【０００４】
この発明は、また、端面部材の角部に取り付けられて、角部を中心に良好な装飾を実現する遊技島用電気装飾具を提供することを他の目的とする。
この発明は、さらに、角部に良好な電気装飾具が備えられた島飾りまたは妻板を提供することを他の目的とする。
【課題を解決するための手段】
【０００５】
請求項１記載の発明は、遊技島の端部に設置される端面部材の角部に取り付けられ、所定のタイミングで点灯される電気装飾具であって、端面部材の角部の寸法に対応する寸法に形成された長手のベースプレートと、前記ベースプレートの長手方向に沿って配置され、多数個のＬＥＤが配列されたＬＥＤ実装基板と、前記ＬＥＤの光照射方向を覆うように設けられた第１の半透明光透過板と、前記第１の半透明光透過板と断面視において直角三角形状の空間をあけて設けられ、前記第１の半透明光透過板の外側を覆っている第２の半透明光透過板と、を含み、前記第１の半透明光透過板は、乳白半透明アクリル板を含み、前記第２の半透明光透過板は、乳白半透明アクリル板を含み、前記ベースプレートは、前記第１の半透明光透過板の相対向する両辺を保持し、かつ、前記第２の半透明光透過板の相対向する両辺を保持するとともに、前記端面部材の角部への取り付け部材を兼ねており、前記ベースプレートは、金属板により構成され、前記ＬＥＤ実装基板を保持するための基板保持面と、基板保持面から延び出た面板の両先端部に設けられた外側レールおよび内側レールを備え、前記第１の半透明光透過板は前記内側レールによって前記相対向する両辺がスライド可能に保持されており、前記第２の半透明光透過板は前記外側レールと内側レールとの間によって前記相対向する両辺がスライド可能に保持されていることを特徴とする遊技島用電気装飾具である。
【０００７】
請求項２記載の発明は、請求項１に記載の電気装飾具が角部に設けられていることを特徴とする遊技島の端部に設置される島飾りまたは妻板である。
【発明の効果】
【０００８】
請求項１記載の発明によれば、ＬＥＤ実装基板の多数個のＬＥＤから照射される光は、第１の半透明光透過板を透過して拡散され、さらに、その外側に所定の空間を隔てて設けられた第２の半透明光透過板を透過して拡散されて、外部へ照射される。このため、各ＬＥＤから照射される光は、第１の半透明光透過板および第２の半透明光透過板によって２段階で拡散されて柔げられ、あるいは、光が柔げられながら混色され、外部へ照射される。
【０００９】
その結果、第２の半透明光透過板から外部へ照射される光は均一で柔かい光となり、第２の半透明光透過板全体が柔かく光輝いた状態となり、斬新な電気装飾を実現することができる。
また、多数のＬＥＤが、たとえば、赤色、青色および白色を含む場合に、いずれの色のＬＥＤを点灯させるかにより、混色されて形成される所定の色の光を出力することができる。その場合に、各色の光が第１の半透明光透過板および第２の半透明光透過板を通過する間に、良好に混色され、淀みのない均一な明るさの合成色の光として第２の半透明光透過板から外方へ照射される。
【００１０】
よって、多彩な色の光を用いた装飾を美しく実現できる遊技島用電気装飾具とすることができる。
第１の半透明光透過板および第２の半透明光透過板は、第１の半透明光透過板を、乳白半透明アクリル板とし、第２の半透明光透過板を、乳白半透明アクリル板とされているので、最終的に透明アクリル板を透過して照射される光が、柔かく、部分的に明暗のない、均一な淀みのない光として照射される。
【００１１】
また、この発明では、ベースプレートが、第１の半透明光透過板および第２の半透明光透過板を保持する保持具を兼ねており、電気装飾具をユニット化して、端面部材への取り付けが容易な電気装飾具とすることができる。
【００１２】
請求項２記載の発明によれば、請求項１に記載の電気装飾具が取り付けられた、装飾効果の高い島飾りや妻板を提供することができる。
【発明を実施するための最良の形態】
【００１３】
以下には、図面を参照して、この発明の実施形態について具体的に説明をする。
図１は、この発明の一実施形態に係る島飾り１の設置状態を説明するための斜視図である。遊技場においては、複数の遊技機２（パチンコ機やパチスロ機）が配列され、複数の遊技機２を含む遊技島３が構成されている。そして、各遊技島３の一端には、この発明の一実施形態に係る島飾り１が配置されている。島飾り１は、遊技島３の一端面を形成する部材である。
【００１４】
図２は、島飾り１の正面図であり、図３は、島飾り１の右側面図である。
図１〜図３を参照して、島飾り１は、正面視が、縦長矩形をしており（図２参照）、前後方向に所定の厚みを有する（図３参照）、直方体状の部材である。島飾り１の側面寸法を大きくすることにより、島飾り１内に収容庫を形成することが可能である。この実施例においても、島飾り１には、その正面に扉板４が配置されており、扉板４は、取っ手５を操作することによって、右側上下辺６を中心に前方へ開くことができる。扉板４が開かれると、収容空間が現れる。
【００１５】
なお、上述の説明では、島飾り１には扉板４が設けられ、島飾り１内に収容空間が形成されている例を説明したが、このような構成に限定されるものではない。島飾り１は、たとえば、その正面部に電気装飾具等が配置されて、任意の表示等が行えるようにされたものや、その表面に任意の図柄が表示されたもの等であってもよい。
島飾り１には、正面左右を上下に延びる角部に、この発明の一実施形態に係る電気装飾具１０が取り付けられている。より具体的には、島飾り１の正面左右両側に上下方向に延びる断面視正方形状の凹みが形成され、そこにこの発明の一実施形態に係る電気装飾具１０が装着されている。これによって、島飾り１は全体として直方体状の形状を保っている。
【００１６】
図４は、島飾り１の部分横断面図で、島飾り１の左前方部を示している。島飾り１には、上述したように、正面左右角部に電気装飾具１０が取り付けられている。電気装飾具１０は、島飾り１の正面左右角部の上下方向寸法に対応するように、上下に長手をしたベースプレート１１、基板１８、乳白半透明アクリル板２０、２２および透明アクリル板２３を備えている。
【００１７】
ベースプレート１１は、金属板により構成されており、基板保持面１２と、基板保持面１２の両側から所定角度で屈曲して延びる一対の取付面１３と、各取付面１３の先端が略直角に屈曲されて立ち上がった外側レール区画部１４とを含んでいる。取付面１３の表面側には、外側レール区画部１４と所定の間隔で配置された断面視Ｌ字状の内側レール区画部材１５が、取付面１３に対してたとえばスポット溶接によって固着されている。
【００１８】
基板保持面１２の表面側には基板保持部材１６が取り付けられている。基板保持部材１６は、断面視コ字状をしており、対をなす溝１７に基板１８の両端辺を挿入することができ、これによって基板１８を保持する部材である。
基板１８の表面には、多数個のＬＥＤ１９が配列されている。ベースプレート１１、基板保持部材１６および基板１８は、いずれも、紙面に直交方向に長手の部材であり、多数個のＬＥＤ１９は、基板１８の表面に、紙面に直交方向に所定の間隔で配列されている。      
【００１９】
ＬＥＤ１９の前方、すなわちＬＥＤ１９の発する光放射方向を覆うように、第１の半透明光透過板としての乳白半透明アクリル板２０が設けられている。この乳白半透明アクリル板２０は、その両辺が内側レール区画部材１５により保持されている。乳白半透明アクリル板２０は、この実施形態では多数のＬＥＤ１９の前方を覆うように、かつ、基板８と平行に、多数のＬＥＤ１９の先端に近接して設けられている。
【００２０】
乳白半透明アクリル板２０の外側には、断面視直角二等辺三角形状の空間２１をあけて、第２の半透明光透過板としての乳白半透明アクリル板２２が設けられ、さらに、その外側に当接され、外側を覆うように透明アクリル板２３が設けられている。乳白半透明アクリル板２２および透明アクリル板２３は、ともに、断面視Ｌ字状をしており、その両側辺は外側レール区画部１４および内側レール区画板１５間に挟持されている。
【００２１】
この実施形態に係る電気装飾具１０を島飾り１の外板２４に取り付ける際には、乳白半透明アクリル板２０、２２および透明アクリル板２３が紙面に垂直方向にスライドされて取り外され、その状態で取付面１３に形成されたねじ孔にビス２５を差し込み、そのビス２５を外板２４の端面にねじ込むことによって取り付けることができる。その後、乳白半透明アクリル板２０、２２および透明アクリル板２３が紙面に垂直方向に差し込まれることにより、島飾り１への電気装飾具１０の取り付けが完了する。
【００２２】
なお、ＬＥＤ１９が実装された基板１８も、紙面に垂直方向に取り外し可能であり、メンテナンス等が容易にできるようにされている。
この発明の一実施形態に係る電気装飾具１０は、上述の構造を有しており、ＬＥＤ１９から照射される光は、まず、第１の乳白半透明アクリル板２０を通過する。その際、乳白半透明アクリル板２０によって光が乱反射されて分散される。しかし、この乳白半透明アクリル板２０だけでは、その内部のＬＥＤ１９の存在が明確に確認できる程度に光が分散されるに止まり、均一な分散光が出力されない。つまり、ＬＥＤ１９部分は光が強く、まだらな光り具合である。
【００２３】
ところが、断面直角二等辺三角形状の空間２１を介して第２の乳白半透明アクリル板２２を通過する光は、この乳白半透明アクリル板２２によりさらに乱反射されて光の明るさが平均化される。よって、第２の乳白半透明アクリル板２２の外側へ照射される光は、明るさにむらがなく、乳白半透明アクリル板２２の表面全体を均一な明るさで光らせる。そしてその光は、透明アクリル板２３を介して遊技場の遊技者等の目に達する。
【００２４】
このように、この実施形態に係る電気装飾具１０によれば、明るさにむらがなく、柔かく均一な光を照射できる電気装飾具とすることができる。また、多数個のＬＥＤ１９が、たとえば青、赤、白等の色の異なるＬＥＤの場合、ＬＥＤ１９を選択的に点灯させることにより、光を混合して所望の色の発光を実現できる。その際、発光色は、２枚の乳白半透明アクリル板２０、２２を通過する際に満遍なく混色され、所望の光の色が外部へ照射される電気装飾具とすることができる。
【００２５】
なお、外側を被うように設けた透明アクリル板２３は省略して、第２の乳白半透明アクリル板２２のみが、外側をＬ字状に被う構成としてもよい。
図５は、この発明の他の実施形態に係る妻板３０の設置状態を説明するための斜視図である。既に説明したように、遊技場においては、複数の遊技機２（パチンコ機やパチスロ機）が配列され、複数の遊技機２を含む遊技島３が構成されている。そして、各遊技島３の他端には、この発明の一実施形態に係る妻板３０が配置されている。妻板３０は、遊技島３の他端面を形成する部材である。
【００２６】
図６は、妻板３０の正面図であり、図７は、妻板３０の背面図である。
図５〜図７を参照して、妻板３０は、正面視が、縦長矩形をした板状部材である。この実施形態に係る妻板３０は、上下に延びる左右両側辺に、発明の実施形態に係る電気装飾具４０が取り付けられている。なお、この実施形態では、妻板３０の正面主要部には装飾や飾り等が施されていない構成が示されているが、妻板３０の正面主要部に、電気的な装飾や、図柄や、コマーシャル表示等が施されたものであってもよい。
【００２７】
図８は、妻板３０に取り付けられた電気装飾具４０の構成を表わす横断面図で、図６におけるＡ−Ａ部分の断面図である。
図８を参照して、電気装飾具４０は、妻板３０の右辺の上下方向寸法に対応するように、上下に長手（図示では、紙面方向に長手）をしたベースプレート４１、基板４２、乳白半透明アクリル板４３、４４および透明アクリル板４５を備えている。
【００２８】
ベースプレート４１は、金属板により構成されており、断面視略Ｌ字状であって、取付兼基板保持面４６およびガイド面４７とを含んでいる。取付兼基板保持面４６の先端およびガイド面４７の先端は、それぞれ略直角に屈曲されて立ち上がった外側レール部４８となっている。そして外側レール部４８の内側近傍には、断面視Ｌ字状の内側レール部材４９が、取付兼基板保持面４６の表面およびガイド面４７の表面に、それぞれたとえばスポット溶接によって固着されている。
【００２９】
取付兼基板保持面４６の表面側には基板保持部材５０が取り付けられている。基板保持部材５０は、断面視コ字状をしており、対をなす溝５１に基板４２の両側辺を挿入することができ、これによって基板４２を保持する部材である。
基板４２の表面には、多数個のＬＥＤ５２が配列されている。ベースプレート４１、基板保持部材５０および基板４２は、いずれも、紙面に直交方向に長手の部材であり、多数個のＬＥＤ５２は、基板４２の表面に、紙面に直交方向に所定の間隔で配列されている。
【００３０】
ＬＥＤ５２の前方、すなわちＬＥＤ５２の発する光放射方向を斜めに覆うように、第１の半透明光透過板としての乳白半透明アクリル板４３が設けられている。この乳白半透明アクリル板４３は、その両辺が内側レール部材４９によって保持されている。
乳白半透明アクリル板４３の外側には、断面視直角三角形状の空間５３をあけて、第２の半透明光透過板としての乳白半透明アクリル板４４が設けられ、さらに、その外側に当接され、外側を覆うように透明アクリル板４５が設けられている。乳白半透明アクリル板４４および透明アクリル板４５は、ともに、断面視Ｌ字状をしており、その両側辺は外側レール部４８および内側レール部材４９間に挟持されている。
【００３１】
この実施形態に係る電気装飾具４０を妻板３０に取り付ける際には、乳白半透明アクリル板４３、４４および透明アクリル板４５ならびに基板４２が紙面に垂直方向にスライドされて取り外され、その状態で取付兼基板保持面４６に形成されたねじ孔にビス５４を差し込み、そのビス５４を妻板３０の端面にねじ込むことによって取り付けることができる。なお、ビス５４のいずれかによって、基板保持部材５０を取付兼基板保持面４６に同時に取り付けることも可能である。その後、基板４２、乳白半透明アクリル板４３、４４および透明アクリル板４５が紙面に垂直方向に差し込まれることにより、妻板３０への電気装飾具４０の取り付けが完了する。
【００３２】
この実施形態に係る電気装飾具４０は、上述の構造をしており、ＬＥＤ５２から照射される光は、まず、第１の乳白半透明アクリル板４３を通過する。その際、乳白半透明アクリル板４３によって光が乱反射されて分散される。しかし、この乳白半透明アクリル板４３だけでは、その内部のＬＥＤ５２の存在が明確に確認できる程度に光が分散されるに止まり、均一な分散光が出力されない。つまり、ＬＥＤ５２部分は光が強く、まだらな光り具合である。
【００３３】
ところが、断面直角三角形状の空間５３を介して第２の乳白半透明アクリル板４４を通過する光は、この乳白半透明アクリル板４４によりさらに乱反射されて光の明るさが平均化される。よって第２の乳白半透明アクリル板４４の外側へ照射される光は、明るさにむらがなく、乳白半透明アクリル板４４の表面全体を均一な明るさで光らせる。そしてその光は、透明アクリル板４５を介して遊技場の遊技者等の目に達する。
【００３４】
このように、この実施形態に係る電気装飾具４０によれば、明るさにむらがなく、柔かく均一な光を照射できる電気装飾具４０とすることができる。また、多数個のＬＥＤ５２が、たとえば青、赤、白等の色の異なるＬＥＤの場合、ＬＥＤ５２を選択的に点灯させることにより、光を混合して所望の色の発光を実現できる。その際、発光色は、２枚の乳白半透明アクリル板４３、４４を通過する際に満遍なく混色され、所望の光の色が外部へ放射される電気装飾具とすることができる。
【００３５】
なお、電気装飾具４０は、その正面側および側面側が乳白半透明アクリル板４４および透明アクリル板４５で覆われているため、妻板３０の両側部において、正面側および側面側を均一にかつ良好に発光させることができる。この実施形態においても、透明アクリル板４５は省略してもよい。
図９は、電気装飾具４０の構成を説明するための横断面図で、図６におけるＢ−Ｂ部分の断面図である。図９に示す電気装飾具４０の構成において、図８に示す構成と同一部分には、同一の番号が付されている。
【００３６】
図９に示す電気装飾具４０の構造上の特徴は、ベースプレート４１のガイド面４７に窓５５が形成されていて、この窓５５の内側に乳白半透明アクリル板５６が嵌められていることである。
図７に示すように、妻板３０は、その背面上方左右両側に、それぞれ縦長の発光窓３１を有している。この発光窓３１を形成しているのが、図９に示す窓５５および乳白半透明アクリル板５６である。
【００３７】
窓５５（発光窓３１）部分では、ＬＥＤ５２が発光すると、その光は乳白半透明アクリル板５６を通過して窓５５から外部へ照射される。発光窓３１は、妻板３０の背面に形成されており、たとえば呼び出しランプとして使用することが可能である。この実施形態に係る電気装飾具４０では、ベースプレート４０のガイド面４７に窓５５を形成したことにより、この窓５５を利用して妻板３０の背面側にも、上記呼び出しランプ等として機能する光を照射することができる。
【００３８】
上述した各実施形態においては、第１の半透明光透過板および第２の半透明光透過板としては、いずれも、乳白半透明アクリル板２０、２２、４３、４４を用いた例を説明したが、これらの各板を、乳白半透明アクリル板に代えて、少なくとも片面にダイヤカットが施されたダイヤカットアクリル板としてもよい。また、ダイヤカットアクリル板は、両面にダイヤカットが施されたものであってもよい。
【００３９】
また、図９で説明した乳白半透明アクリル板５６についても、ダイヤカットアクリル板に置換することが可能である。
この発明は、以上説明した実施形態に限定されるものではなく、請求項記載の範囲内において種々の変更が可能である。
【図面の簡単な説明】
【００４０】
【図１】この発明の一実施形態に係る島飾り１の設置状態を説明するための斜視図である。
【図２】島飾り１の正面図である。
【図３】島飾り１の右側面図である。
【図４】島飾り１の部分縦断面図で、島飾り１の左前方部を示す図である。
【図５】この発明の一実施形態に係る妻板３０の設置状態を説明するための斜視図である。
【図６】妻板３０の正面図である。
【図７】妻板３０の背面図である。
【図８】図６に示す妻板３０のＡ−Ａ部分の横断面図である。
【図９】図６に示す妻板３０のＢ−Ｂ部分の横断面図である。
【符号の説明】
【００４１】
１    妻飾り
３    遊技島
１０、４０    電気装飾具
１１、４１    ベースプレート
１８、４２    基板
１９、５２    ＬＥＤ
２０、２２、４３、４４    乳白半透明アクリル板
２３、４５    透明アクリル板
２１、５３    空間
３０    妻板
【図１】
0005302525.tif 000002
【図２】
0005302525.tif 000003
【図３】
0005302525.tif 000004
【図４】
0005302525.tif 000005
【図５】
0005302525.tif 000006
【図６】
0005302525.tif 000007
【図７】
0005302525.tif 000008
【図８】
0005302525.tif 000009
【図９】
0005302525.tif 000010